(57)【特許請求の範囲】
【請求項１】
ＩＣカード、光カード等の媒体の供給、識別、データ書込み等の処理を自動的に行い、且つカード媒体を目的とする処理へ搬送する媒体搬送処理装置において、断面がコの字型の凹部をもつ一対の搬送レールからなり、カード等の媒体を、該コの字型の凹部にて媒体の相対する２辺部を支持しながら搬送する搬送経路を有し、前記搬送レールは、コの字型の凹部を第一の部材と第一の部材に対して取り外し、取付け可能な第二の部材を併せて形成されており、且つ、第二の部品は搬送経路に沿い複数個に所定の長さ以下に分割されていることを特徴とする媒体搬送処理装置。
【請求項２】
請求項１において、媒体が磁気ストライプに識別データ等の情報をもつもので、該識別データ等の情報を読み取る磁気読み取りユニットを、前記一対のレールの少なくとも一方の第二の部材に換えた状態でコの字の凹部を形成して、設けていることを特徴とする媒体搬送処理装置。
【発明の詳細な説明】
【０００１】
【産業上の利用分野】
本発明は，媒体、例えばＩＣカード、光カード等に識別情報に対応する個人データを書き込む等の処理を行う媒体搬送処理装置に関するものである。
【０００２】
【従来の技術】
従来、銀行で顧客ごとのデータをＩＣカードに入れて発行したり、会社で社員データを書き込んだＩＣカードを発行するため、図３に示すような発行システムが提案されている。
例えば、銀行で顧客ごとのデータを入れたＩＣカードを発行する場合、前もって顧客データを磁気テープ又はフロッピーデイスク等に記憶しておき、このデータをＩＣカードに書き込めるような形式にパーソナルコンピューター３１０でデータ変換し、発行装置３２０によりＩＣカードを作成発行する。発行装置３２０はリーダ／ライタからなり、図４に示すようなＩＣカード４００の磁気ストライプ４１０にあらかじめ照合情報が書き込まれており、この照合情報と合致するデータをＩＣカードフアイルから検索し、ＩＣカードデータをＩＣチップ４２０に書き込む処理を行う。こうして多数の顧客データが順次ＩＣカードに書き込まれて発行される。
【０００３】
このシステムにおいては、大量のＩＣカード、光カード等のカード媒体の処理が必要とされるため、図５に示すような、媒体の供給、識別、データ書込み等の処理を自動的に行い、且つカード媒体を目的とする処理へ搬送する媒体搬送処理装置が提案されている。
図５に示す装置は、マガジン５１０内に未処理のＩＣカードを４００枚程度セットしておき順次１枚づつ、搬送経路５２０に送り、搬送経路５２０において磁気読み取りユニット５３０にて磁気ストライプのデータを読み取り、ＩＣコンタクト部５４０において読み取った磁気ストライプのデータに対応するＩＣカードデータをＩＣチップに書き込む処理を行い、マガジン５１１内へ収納される。
このような装置においては、ＩＣカードの搬送経路は、コの字の凹部をもつ一対のレールからなり、該凹部にＩＣカードの相対する２つの長辺を挾みながら可動保持台５５０に載せＩＣカードを搬送しており、磁気読み取りユニット５３０は一対のレールの一方に取付け固定していた。尚、５５０Ａは可動保持台５５０を搬送する搬送部である。
【０００４】
しかしながら、上記装置には、▲１▼搬送エラー等装置の故障時における搬送経路内のＩＣカードのとり除きができない、または、できたとしても手間がかかってしまう、▲２▼磁気読み取りユニットによる磁気ストライプのデータを読み取りは、磁気ストライプに対応する位置にて行う必要があるが、カードによって磁気ストライプの位置がカードの正方向に対し反対側にある場合と同じ側にある場合があるため、１つの磁気読み取りユニットを用いた媒体搬送処理装置においては、カードの種類によって、磁気ストライプの位置と磁気読み取りユニットとが対応せず読み取りができない場合が発生する、等の問題がありその対応が求められていた。
【０００５】
【発明が解決しようとする課題】
このように、ＩＣカード等媒体の発行システムに用いられる媒体搬送処理装置における搬送経路においては、搬送エラー等装置の故障時における搬送経路内のＩＣカード等媒体のとり除きが容易にでき、特に、磁気ストライプの位置が異なるＩＣカード等媒体にも対応できるものが求められていた。
本発明は、このような状況のもと、搬送エラー等装置の故障時における搬送経路内のＩＣカードのとり除きが容易にでき、且つ、磁気ストライプの位置が異なるカードにも１つの磁気読み取りユニットで対応できる媒体搬送処理装置を提供するものである。
【０００６】
【課題を解決するための手段】
本発明の媒体搬送処理装置は、ＩＣカード、光カード等の媒体の供給、識別、データ書込み等の処理を自動的に行い、且つカード媒体を目的とする処理へ搬送する媒体搬送処理装置において、断面がコの字型の凹部をもつ一対の搬送レールからなり、カード等の媒体を、該コの字型の凹部にて媒体の相対する２辺部を支持しながら搬送する搬送経路を有し、前記搬送レールは、コの字型の凹部を第一の部材と第一の部材に対して取り外し、取付け可能な第二の部材を併せて形成されており、且つ、第二の部品は搬送経路に沿い複数個に所定の長さ以下に分割されていることを特徴とするものである。
そして、上記において、媒体が磁気ストライプに識別データ等の情報をもつもので、該識別データ等の情報を読み取る磁気読み取りユニットを、前記一対のレールの少なくとも一方の第二の部材に換えた状態でコの字の凹部を形成して、設けていることを特徴とするものである。
【０００７】
【作用】
本発明の媒体搬送処理装置は、このような構成にすることにより、搬送エラー等装置の故障時における搬送経路内のＩＣカードのとり除きが容易にでき、且つ、磁気ストライプの位置が異なるカードにも対応できるものとしている。
詳しくは、断面がコの字型の凹部をもつ一対の搬送レールからなり、カード等の媒体を、該コの字型の凹部にて媒体の相対する２辺部を支持しながら搬送する搬送経路を有しており、搬送レールは、コの字型の凹部を第一の部材と第一の部材に対して取り外し、取付け可能な第二の部材を併せて形成されており、且つ、第二の部品は搬送経路に沿い複数個に所定の長さ以下に分割されていることにより、搬送経路のどの部分でも第二の部品を取外し、取付けが容易できるものとしている。
そして、識別データ等の情報を読み取る磁気読み取りユニットを、前記一対のレールの第二の部材に換えた状態でコの字の凹部を形成して、設けていることにより、簡単に磁気読み取りユニットの位置を一対のレールの一方から他方に第二の部品と交換して取りつけることもでき、結果として、１つの磁気読み取りユニットでも、磁気ストライプの位置が異なるカードにも対応して磁気ストライプのデータの読み取りを簡単にできるものとしている。
【０００８】
【実施例】
本発明の媒体搬送処理装置の実施例を挙げる。
本実施例の媒体搬送処理装置は、ＩＣカードの磁気ストライプ部から識別情報（データ）を読み取り、このデータに対応するＩＣカードデータ（個人情報）をＩＣに書き込むものであり、図１は本実施例の媒体搬送処理装置の特徴部である搬送経路の一部を示したもので、図２（ａ）は本実施例媒体搬送処理装置の機能概略図を示したものである。そして図２（ｂ）は媒体の搬送方法を説明するための図であり、図２（ｂ）の（イ）、（ロ）はそれぞれＩＣカードを可動保持部に載せ搬送している状態の断面図および上面図であり、図２（ｂ）（ハ）は搬送時のＩＣカードの端部とレールとの関係を示した断面図である。
図１、図２中において、１００は媒体搬送処理装置、１１０は搬送経路、１１１はレール、１１２は第一の部材、１１３は第二の部材、１１４はネジ、１１５は凹部、１１６は磁気読み取りユニット、１１７、１１７ＡはＩＣカード、１１８は磁気ストライプ部、１１９は可動保持部、１２０はＩＣカードのコンタクト部、１３０は供給マガジン、１３１は収納マガジン、１４０はＩＣコンタクト機構である。
【０００９】
はじめに、本実施例の媒体搬送処理装置の動作を図２（ａ）に基づいて簡単に説明する。
先ず、ＩＣカード１１７を供給マガジン１３０へセットした後、順次１枚づつ搬送経路１１０へと送り、搬送しながら、磁気読み取りユニット１１６にて磁気ストライプの識別情報（データ）を読み取る。搬送は、図２（ｂ）に示すように、可動保持部１１９にＩＣカード１１７を載せて、且つ、ＩＣカードの長手方向の相対する２辺部をレール１１１の凹部１１５に入れた状態で、可動保持部１１９を移動することにより行われる。この際、ＩＣカード１１７の搬送方向の前後を支持することにより行われる。
次いで、ＩＣカード１１７を搬送し、ＩＣコンタクト機構１４０にて、静止した状態でＩＣカードのコンタクト部１２０にＩＣコンタクト機構１４０の接触ピン（図示していない）をあてリーダ／ライタにて、磁気ストライプの識別情報（データ）に対応するデータをＩＣカードへ書き込む。
この後、処理されたＩＣカードは収納マガジン１３１へ収納される。
【００１０】
次に、図１に基づいて、特徴部である搬送経路を説明する。
図１（ａ）はＩＣ正方向に対して磁気ストライプがカードの下部にある場合の図であり、図１（ｂ）（イ）はＡ１−Ａ２における断面図で、図１（ｂ）（ロ）はＢ１−Ｂ２における断面図で、図１（ｂ）（ハ）はＣ１−Ｃ２における断面図で、図１（ｂ）（ニ）はＤ部の拡大図である。また、図１（ｃ）はＩＣ正方向に対して磁気ストライプがカードの上部にある場合の図である。
本実施例の媒体搬送処理装置の搬送経路１１０は、コの字型の凹部１１５をもつ一対のレール１１１からなり、一対のレールの凹部１１５が相対してＩＣカード１１７を保持した状態で、可動保持部１１９により搬送される。
レール１１７は図１（ｃ）に示すように第一の部材１１２に第二の部材１１３をネジ１１４にて取付けたもので、図１（ａ）、図１（ｂ）に示すように搬送経路に沿い複数個に所定の長さ（ＩＣカード長さの約２倍）に分離されている。したがって、搬送経路のほぼ全域で、ネジ１１４を取り外すことにより、第二の部部材１１３を第一の部材１１２からはずすことができるものとしている。
これにより、搬送エラー等装置の故障が発生した場合に、第一の部材１１２から第二の部材１１３をはずすことにより搬送経路１１０内のＩＣカード１１７を容易にとりだすことができるものとしている。
【００１１】
本実施例の媒体搬送処理装置の搬送経路１１０においては、図１（ａ）、図１（ｂ）（ロ）に示すように、搬送経路の所定の位置に磁気読み取りユニット１１６を、前記一対のレール１１１方の第二の部材１１３に換えた状態でコの字の凹部１１５を形成して設けている。
図１（ｂ）（ハ）に示すように磁気読み取りユニット１１６とコの字の凹部を形成する第一部材も搬送形路のこの前後と分離されており、第一の部材１１２とともに、搬送経路からの取外し取付けを容易にできるものとしている。磁気読み取りユニット１１６のレール１１１の第一の部材１１２への取付けはネジ１１４Ａにて行っている。
この為、１つの搬送経路において、磁気読み取りユニット１１６を図１（ａ）に示すように、ＩＣ正方向に対して磁気ストライプがカードの下部にあるＩＣカード１１７を処理するようにセットしたものを、図１（ｃ）に示すように、ＩＣ正方向に対して磁気ストライプがカードの上部にあるＩＣカード１１７Ａを処理するようにセットしなおすことも容易にできるものとしている。
【００１２】
また、図１（ｂ）（ニ）に示すように、各レールの第二の部材１１３の繋ぎ目における互いに接する側の面を断面が曲線にしておくことにより取り外し取付けの際媒体への傷の付着を防ぐことができるものとしている。
【００１３】
【発明の効果】
本発明の媒体搬送処理装置は、上記のように、搬送経路を形成するコの字の凹部をもつ一対レールが、それぞれ第二の部材を簡単に取り外し、取り付けができることにより、搬送エラー等の装置故障の際に搬送経路内のカード等の媒体を簡単に取り除くことができ、復旧作業が簡単となる。
そして、搬送経路内の１つの磁気読み取りユニットを一対のレールの一方から他方への位置換えも簡単にできるものとしている。
【図面の簡単な説明】
【図１】本発明実施例の媒体搬送処理装置は搬送経路の一部を示した図
【図２】本発明実施例の媒体搬送処理装置の機能概略図および搬送方法を説明するための図
【図３】発行システムを説明するための図
【図４】ＩＣカードを説明するための図
【図５】従来の媒体処理装置の概略断面図
【符号の説明】
１００                媒体搬送処理装置
１１０                搬送経路
１１１                レール
１１２                第一の部材
１１３                第二の部材
１１４                ネジ
１１５                凹部
１１６                磁気読み取りユニット
１１７、１１７Ａ      ＩＣカード
１１８、１１８Ａ      磁気ストライプ部
１１９                可動保持部
１２０                ＩＣカードのコンタクト部
１３０                供給マガジン
１３１                収納マガジン
１４０                ＩＣコンタクト機構
５００                媒体処理装置
５１０、５１１        マガジン
５２０                搬送経路
５３０                磁気読み取りユニット
５４０                ＩＣコンタクト部
５５０                可動保持台
５５０Ａ              搬送部
【図１】
0003545494.tif 000002
【図２】
0003545494.tif 000003
【図３】
0003545494.tif 000004
【図４】
0003545494.tif 000005
【図５】
0003545494.tif 000006